(57)【特許請求の範囲】
【請求項１】
遊技機に隣接して設置される台間遊技媒体貸出機であって、前記遊技機での遊技に使用される遊技媒体を前記遊技機の下皿に払い出すノズル部の少なくともその一部が、前記遊技機の前扉の前方に配設されることによって前記前扉の開放を阻止する範囲に、前記ノズル部の回動範囲を制限する回動範囲制限装置を設けたことを特徴とする台間遊技媒体貸出機。
【請求項２】
前記回動範囲制限装置に対する前記ノズル部の回動範囲の制限を解除する操作は、電気信号によって操作されるものであることを特徴とする請求項１記載の台間遊技媒体貸出機。
【請求項３】
前記回動範囲制限装置に対する前記ノズル部の回動範囲の制限を解除する操作は、手動操作によって操作されるものであるとともに、この手動操作には鍵の開錠作業を伴なうことを特徴とする請求項１記載の台間遊技媒体貸出機。
【発明の詳細な説明】
【０００１】
【発明の属する技術分野】
本発明は、遊技機での遊技に使用される遊技媒体を払い出す台間遊技媒体貸出機に関するものである。
【０００２】
【従来の技術】
遊技場に設置された遊技機は、遊技の内容を制御する制御基板と、景品に交換可能な遊技媒体とを内部に保持しているため、制御基板を改造して遊技内容を変更したり、遊技媒体を直接抜き取ったりするような不正行為に常に狙われている。そのため、遊技機の前扉の開閉には厳重なセキュリティを必要とする。
【０００３】
前扉の開閉に関するセキュリティの一つとして、遊技機の前扉と遊技機内部とを巻取り式のワイヤーで接続し、電磁ロック等によって前記ワイヤーの巻取りを制限する事により、前扉の開閉を制限する方式がある。閉鎖時はワイヤーを巻取り、電磁ロックで固定することによって、仮に前扉の鍵がこじ開けられたり、破壊されたりしたとしても、前記ワイヤーによって内側から前扉を固定し、前方への開放を阻止するようになっている。また、遊技場のスタッフが前扉を開ける際には電磁ロックを信号によって解除し、ワイヤーを展開自在にして前扉の前方への開放を許容するようにしている。
【０００４】
【発明が解決しようとする課題】
しかしながら、前記ワイヤー方式では、遊技機内部に器具を取り付けるため、風俗営業法の規定により所轄警察署等の認可を必要とし、その手続に手間と時間を必要としてしまう。
【０００５】
本発明は、上記の問題を解決するためになされたものであり、その目的は、台間遊技媒体貸出機のノズル部に、遊技機前扉の開放を封ずるロック機能を持たせることによって、簡易かつ効果的なセキュリティを提供する事にある。
【０００６】
【課題を解決するための手段】
上記課題を解決するため、本発明に係る遊技媒体貸出機は、遊技機に隣接して設置される台間遊技媒体貸出機であって、前記遊技機での遊技に使用される遊技媒体を前記遊技機の下皿に払い出すノズル部の少なくともその一部が、前記遊技機の前扉の前方に配設されることによって前記前扉の開放を阻止する範囲に、前記ノズル部の回動範囲を制限する回動範囲制限装置を設けたことを特徴とするものである。
【０００７】
また、前記回動範囲制限装置に対する前記ノズル部の回動範囲の制限を解除する操作は、電気信号によって操作されるものであることを特徴とするものである。
【０００８】
さらにまた、前記回動範囲制限装置に対する前記ノズル部の回動範囲の制限を解除する操作は、手動操作によって操作されるものであるとともに、この手動操作には鍵の開錠作業を伴なうことを特徴とするものである。
【０００９】
上記構成によれば、ノズル部の回動範囲を制限して、遊技機前扉の開放を物理的に阻止することにより、セキュリティを確保できる。また、遊技機外部の構成であるため、所轄警察署の認可を必要とせず、容易かつ迅速な取付が可能である。
【００１０】
【発明の実施の形態】
以下、本発明の実施の形態を、図面に基づいて説明する。図１は、本発明の実施に係る台間遊技媒体貸出機を示す正面図、図２および図３は同平面図である。図４は本発明の実施に係る台間遊技媒体貸出機のノズル部の回動範囲を示す平面図である。
【００１１】
図１において、本発明の実施に係る台間遊技媒体貸出機１は、遊技機１台ごとに、その右側に隣接するように設置されている。前記台間遊技媒体貸出機１からは、メダルを排出するためのノズル３が、ノズル回動基部２に回動自在に設けられ、遊技機下皿１２に直接メダルを排出することができるように下皿１２に向かってノズル３の先端部を湾曲させて形成されている。
【００１２】
図２は、本発明に係る台間遊技媒体貸出機１の、ノズル３を可能な限り遊技機１１側に回動させた平面図であり、図中の点線Ａは、その場合のノズル３の回動位置を示すものである。
【００１３】
また、図３は遊技機１１の前扉１２を開くことができるように、本発明に係る台間遊技媒体貸出機１の、ノズル３を遊技機１１とは逆の向きに回動させた平面図であり、図中の点線Ａ’は、その場合のノズル３の回動位置を示すものである。
【００１４】
ここで、図４に示すように、払出基部２内に設けられた回動範囲制限装置により、ノズル３の回動範囲がＡ〜Ａ’の範囲内に制限されている。その場合、遊技機の前扉１３はノズル３によってその開放を妨げられている。ノズル３及びノズル回動基部２は、損壊によって前扉１３が開放されることのないように充分な強度が付与されることが望ましい。
【００１５】
前記ノズル３の回動範囲の制限を解除し、遊技機１１から遠ざかる方向に、回動位置Ａ’を超えて回動させることにより、遊技機１１の前扉１３を図４の矢印に示すように前方に開くことができるようになる。この、回動範囲の制限及び制限の解除は、電気信号によって行われ、例えばリモコン装置によって遠隔操作されるものであってもよい。
【００１６】
あるいはまた、回動範囲の制限及び制限の解除は、手動により切り替えるものであってもよい。その際、切り替え用に鍵を用意し、その使用を管理することで、不正に前扉を開くことを防ぐことができる。
【００１７】
台間遊技媒体貸出機１の制御基盤と遊技場の管理コンピュータとを電気的に接続し、ノズルの回動範囲制限の解除操作を遊技場の管理コンピュータに記録することで、遊技場スタッフによる不正行為を防止することができる。
【００１８】
また、台間遊技媒体貸出機１の制御基盤と遊技場の管理コンピュータとを電気的に接続し、ノズルの回動範囲制限の解除を遊技場の管理コンピュータで直接操作するようにしてもよい。この場合にも操作記録を残すことで、遊技場スタッフによる不正行為を防止することができる。
【００１９】
【発明の効果】
以上のように、本発明によれば、遊技機前扉の開閉を容易かつ確実に施錠することができ、不正行為の介入を防ぐことができる。
【図面の簡単な説明】
【図１】本発明に係る台間遊技媒体貸出機の正面図及び側面図である。
【図２】本発明に係るノズルの回動範囲制限の一方の限界を示す平面図である。
【図３】本発明に係るノズルの回動範囲制限の他方の限界を示す平面図である。
【図４】本発明に係る台間遊技媒体貸出機のノズル部の回動範囲及び遊技機の前扉の開閉状態を示す平面図である。
【符号の説明】
１…台間遊技媒体貸出機
２…ノズル回動基部
３…ノズル
１１…遊技機
１２…下皿
１３…前扉
【図１】
0004135865.tif 000002
【図２】
0004135865.tif 000003
【図３】
0004135865.tif 000004
【図４】
0004135865.tif 000005